(57)【特許請求の範囲】
【請求項１】
燃料ガスと燃焼用空気との混合気が供給されるバーナ本体に略円盤状のバーナヘッドが装着されるコンロバーナであって、前記バーナ本体上面と前記バーナヘッド下面との間のガス空間の外周には前記バーナ本体に供給される混合気を噴出させる複数の炎口が周設形成され、該各炎口は縦長の形状とし、かつ前記バーナヘッド下面の中心部には前記バーナ本体に供給される混合気の動圧を緩衝する先端面が平坦な略柱状の凸部が立設されることを特徴とするコンロバーナ。
【請求項２】
前記複数の炎口は、前記バーナ本体上面または前記バーナヘッド下面に外周方向に向けて放射状に設けられた複数の区画壁により形成され、これら複数の区画壁の高さは、区画壁と区画壁との間の距離より大きいことを特徴とする請求項１に記載のコンロバーナ。
【請求項３】
前記区画壁の高さは、前記区画壁と区画壁との間の距離に対して、２倍から３倍の範囲の大きさとなることを特徴とする請求項２に記載のコンロバーナ。
【発明の詳細な説明】
【技術分野】
【０００１】
本発明は、コンロバーナに関し、さらに詳しくは、テーブルコンロ等のガス燃焼調理器に好適に用いられるコンロバーナに関するものである。
【背景技術】
【０００２】
従来、テーブルコンロ等のガス燃焼調理器に使用されるコンロバーナには、例えば図５に示されるものなどが知られている。図示されるコンロバーナ５０は、ガス供給手段（図示せず）から供給される燃料ガスと燃焼用空気とからなる混合気が通過する混合管５６に接続されるバーナ本体５２と、このバーナ本体５２の上に載置されるバーナヘッド５４とで構成されている。
【０００３】
バーナヘッド５４は、略円盤状に形成され、その下面５４ａには、複数のスリット溝６０が外周方向に放射状に形成されている。このバーナヘッド５４がバーナ本体５２の上に載置されると、バーナヘッド下面５４ａに形成されたスリット溝６０とバーナ本体上面５２ａとによりガス通路６２が形成され、そのガス通路６２の外周に炎口６４が形成される。
【０００４】
このコンロバーナ５０にガス供給手段（図示せず）から燃料ガスが供給されると、燃焼用空気と合わさって混合気となり、この混合気が混合管５６を通ってガス通路６２に運ばれ、炎口６４から噴出される。このとき、点火手段（図示せず）により炎口６４に点火すると、コンロバーナ５０の外周で円形状に火炎が形成される。
【０００５】
このような構成のコンロバーナは、コンロバーナに供給可能な燃料ガスの量により加熱能力が決まる。例えば空燃比を変えずにコンロバーナに供給可能となる燃料ガスの量が多くなれば、火力が上がるため、加熱能力を高くすることができる。
【０００６】
そして、ガス燃焼調理器を使用して調理する際において、例えば、被調理物の性質（例えば、加熱されにくいもの）や調理方法（例えば、中華料理など強い火力が必要な調理方法）などに合わせて、コンロバーナの定格能力を変えたい場合がある。
【０００７】
この場合、例えばバーナヘッド径を大きくしてコンロバーナの炎口面積を大きくすると、炎口からの混合気の噴出量が多くなるので、空燃比を変えることなく、コンロバーナへの燃料ガスの供給量を増やすことができる。そして、燃料ガスの供給量を増やすことにより、炎口で形成される火炎の火力を上げて、加熱能力（定格）を高くすることができる。
【０００８】
【特許文献１】実公平２−１２４３９号公報
【発明の開示】
【発明が解決しようとする課題】
【０００９】
ところが、コンロバーナのバーナヘッド径を大きくすると、コンロバーナが大きくなるため、コンロバーナを設置するガス燃焼調理器も大きくならざるを得ない。これにより、ガス燃焼調理器の製造コストが高くなってしまう。また、ガス燃焼調理器を設置するスペースには制約があるため、ガス燃焼調理器の大きさを自由に変えることはできない。そのため、コンロバーナのバーナヘッド径を大きくすることができない場合がある。
【００１０】
そこで、図６に示されるコンロバーナ７０のように、バーナヘッド７４の直径を大きくせずに、コンロバーナ７０の炎口８４の上下方向の幅Ｈ２を従来よりも広くして、炎口面積を大きくすることも考えられる。
【００１１】
しかしながら、炎口の上下方向の幅を広くすると、混合管からバーナ本体を通って流れてきた混合気は、その動圧が高いために、炎口の上側に流れやすくなる。そのため、炎口の上側と下側とで混合気の分布が均一にならないという問題があった。これにより、炎口の下側よりも上側に混合気が過剰に供給されて、炎口から噴出される火炎がリフトしやすくなる（火炎が安定しない）という問題があった。
【００１２】
本発明が解決しようとする課題は、バーナヘッド径を大きくせずに炎口面積を大きくして加熱能力を高くするとともに、炎口の上下方向における混合気の噴出分布を均一にして火炎の安定化を図ったコンロバーナを提供することにある。
【課題を解決するための手段】
【００１３】
上記課題を解決するために本発明に係るコンロバーナは、燃料ガスと燃焼用空気との混合気が供給されるバーナ本体に略円盤状のバーナヘッドが装着されるコンロバーナであって、前記バーナ本体上面と前記バーナヘッド下面との間のガス空間の外周には前記バーナ本体に供給される混合気を噴出させる複数の炎口が周設形成され、該各炎口は縦長の形状とし、かつ前記バーナヘッド下面の中心部には前記バーナ本体に供給される混合気の動圧を緩衝する先端面が平坦な略柱状の凸部が立設されることを要旨とするものである。
【００１４】
この場合、前記複数の炎口は、前記バーナ本体上面または前記バーナヘッド下面に外周方向に向けて放射状に設けられた複数の区画壁により形成され、これら複数の区画壁の高さは、区画壁と区画壁との間の距離より大きいことが好ましい。
【００１５】
そして、前記区画壁の高さは、前記区画壁と区画壁との間の距離に対して、２倍から３倍の範囲の大きさとなることが好ましい。
【発明の効果】
【００１７】
本発明に係るコンロバーナによれば、バーナ本体上面とバーナヘッド下面との間に、このバーナ本体に供給される混合気を噴出させる複数の炎口が上下方向に幅広に設けられることから、上下方向に炎口面積を大きくすることができる。そのため、炎口面積を大きくするのにバーナヘッド径を大きくする必要がない。
【００１８】
そして、炎口面積を大きくすることにより、炎口からの混合気の噴出量が多くなるので、空燃比を変えることなく、コンロバーナへの燃料ガスの供給量を増やすことができる。これにより、コンロバーナの火力が上がるため、コンロバーナの加熱能力を高くすることができる。
【００１９】
また、バーナヘッド下面の中心部に、このバーナ本体に供給される混合気の動圧を緩衝する略柱状の凸部が立設されることから、バーナ本体に供給される混合気が炎口から噴出される前にこの略柱状の凸部と衝突して、混合気の動圧が緩衝される。これにより、バーナ本体に供給される混合気が上下方向に幅広に設けられた炎口の上側に特に流れやすくなることはなくなり、炎口の上側と下側とで混合気の分布を均一にすることができる。その結果、炎口から噴出される火炎のリフトを防止して、火炎の安定化を図ることができる。
【００２０】
この場合、複数の炎口がバーナ本体上面またはバーナヘッド下面に外周方向に向けて放射状に設けられた複数の区画壁により形成され、これら複数の区画壁の高さが区画壁と区画壁との間の距離より大きいものであると、従来のコンロバーナの炎口は、複数の区画壁の高さが区画壁と区画壁との間の距離とほぼ同じくらいに形成されているものが多いため、これと比べて、バーナヘッド径を大きくせずに炎口面積を大きくして加熱能力を高くすることができる。加えて、プレス加工によるバーナ本体の成形加工や、鋳造、ダイカスト等の射出成形によるバーナヘッドの成形加工などにより、上記区画壁を容易に形成することができるので、上下方向に幅広な炎口を容易に形成することができる。
【００２１】
そして、区画壁と区画壁との間の距離に対して区画壁の高さを、２倍から３倍の範囲の大きさとなるようにすると、バーナヘッド径を大きくせずに、確実に炎口面積を大きくして加熱能力を高くすることができる。
【発明を実施するための最良の形態】
【００２３】
次に、本発明の実施の形態について、図面を参照して詳細に説明する。図１は、本発明に係るコンロバーナの一実施形態を表す断面図（ａ）および正面図とその一部拡大図（ｂ）である。図２は、図１に示されるコンロバーナのバーナヘッドを表す底面図である。図３は、図１に示されるコンロバーナに混合気を供給したときの混合気の流れを時系列で示す図である。図４は、他の実施形態に係るコンロバーナの断面図である。
【００２４】
図１に示されるように、本実施形態に係るコンロバーナ１０は、バーナ本体１２と、このバーナ本体１２上に載置されるバーナヘッド１４とから構成される。バーナ本体１２からバーナヘッド１４を取り外せば、これらは容易に分離できる構成となっている。
【００２５】
バーナ本体１２は、例えば板金などの薄板をプレス加工等することにより形成される。バーナ本体１２は、燃料供給部（図示せず）と接続され、燃料供給部（図示せず）より供給される燃料ガスと一次空気とを混合させる混合管１６と、この混合管１６の下流側に延設形成され、供給されてきた混合気を環状に分布させてからバーナヘッド１４に送る混合室１８とで構成される。混合室１８は混合管１６よりも開口径が大きくなるように形成されているため、混合管１６と混合室１８との境界には、混合管１６よりも混合室１８の方が広くなる段差が設けられている。混合室１８の上部は開口しており、その外周方向にバーナ本体上面１２ａが延設形成されている。このバーナ本体上面１２ａは、外周方向へ向かって上方に傾斜した斜状平滑面となっている。
【００２６】
バーナヘッド１４は、例えば鍛造品や鋳造品、ダイキャスト品などからなる一体成形品を例示することができる。図２（底面図）によりその構造を示すと、略円盤状のバーナヘッド１４の下面１４ａに、このバーナヘッド１４がバーナ本体１２上に載置されたときに形成されるバーナ本体１２とバーナヘッド１４との間の空間を区画する複数の区画壁２０、２０・・・が立設されている。
【００２７】
区画壁２０は、バーナヘッド１４の中心側の端縁２０ａが、バーナヘッド１４の中心から等距離（所定距離）に位置し、バーナヘッド１４の外周側の端縁２０ｂが、バーナヘッド１４の外周端縁１４ｂよりも内側の位置で中心から等距離（所定距離）に位置するように形成されている。そして、これら複数の区画壁２０、２０・・・は、一定の間隔を空けて等間隔に配置され、それぞれバーナヘッド１４の外周方向に放射状に延びる形となっている。この区画壁２０と区画壁２０とで区画された空間によりガス通路２２が形成され、ガス通路２２の外周側端縁が炎口２４となる。
【００２８】
そして、図１（ａ）に示されるように、区画壁２０の下部端面２０ｃは、バーナヘッド１４がバーナ本体１２上に載置されたときにバーナ本体上面１２ａと区画壁２０の下部端面２０ｃとが密接されるように、バーナ本体上面１２ａの傾斜に合わせて外周方向へ向かって上方に傾斜している。
【００２９】
区画壁２０は、図１（ｂ）に示されるように、区画壁２０と区画壁２０との間の距離Ｌ１よりも区画壁２０の高さＨ１を大きくして、炎口２４を上下方向に幅広にしている。従来のコンロバーナは、炎口の上下方向の幅が円周方向の幅とほぼ同じ程度の広さにされていることが多いので、バーナヘッド径が同じときは、炎口の円周方向の幅も同じになる。そのため、上下方向を幅広にしている分、炎口面積を大きくすることができる。このとき、区画壁２０の高さＨ１は、区画壁２０と区画壁２０との間の距離Ｌ１に対して、２倍から３倍の範囲の大きさとなることが好ましい。
【００３０】
さらに、図１（ａ）に示されるように、略円盤状のバーナヘッド１４の下面１４ａ中心部から、略円柱状の凸部２６が立設されている。この凸部２６は、バーナ本体１２に供給される混合気の動圧を緩衝する機能を有する。そのため、下方から供給された混合気が衝突されるように、この凸部２６の先端２６ａを混合室１８の開口付近に配置させると良い。なお、この凸部２６の長さや直径は、特に限定されるものではないが、あまり短いと、下方から供給される混合気の動圧を緩衝する効果が半減する。また、長すぎるか、太すぎて混合気の流通を阻害することのないよう、適度な長さ、直径にすれば良い。
【００３１】
次に、本実施形態に係るコンロバーナ１０の作用について、従来のコンロバーナの作用と比較しつつ説明する。なお、図中の矢印は、混合気の流れを示すものである。
【００３２】
まず、従来のコンロバーナの作用について説明する。なお、従来のコンロバーナとして、炎口が上下方向に幅広となっていないものについて比較説明しても良いが、本実施形態に係るコンロバーナ１０の炎口２４において、混合気が均一分布される効果をより一層明らかにするため、ここでは、炎口が上下方向に幅広となっているものについて比較説明する。
【００３３】
図６（ａ）（ｂ）に示されるように、コンロバーナ７０は、コンロバーナ１０のバーナ本体１２と同じ形状のバーナ本体７２と、バーナヘッド１４と形状の異なるバーナヘッド７４とからなる。このバーナヘッド７４は、その下面７４ａに凹部７４ｂが形成されており、コンロバーナ１０と異なり、供給される混合気の動圧を緩衝する略柱状の凸部は設けられていない。コンロバーナ７０には、複数の区画壁８０、８０・・・によりガス通路８２が形成され、ガス通路の外周側端縁に炎口８４が形成されている。この炎口８４は、コンロバーナ１０の炎口２４と同様、上下方向に幅広（上下方向の幅Ｈ２＞円周方向の幅Ｌ２）に形成されて、炎口面積を大きくしている。
【００３４】
そして、図７（ａ）に示されるように、燃料供給部（図示せず）からの燃料ガスと一次空気とからなる混合気がコンロバーナ７０の混合管７６に供給されると、図７（ｂ）に示されるように、混合管７６を通って混合室７８に運ばれる。このとき、供給された混合気の一部は、バーナヘッド下面の凹部７４ｂに衝突してその動圧が抑えられることがあるが、図示されるもののように、炎口に傾斜（斜め上側に）がついているものは特に、供給された混合気のほとんどは、勢いが強いまま混合室７８からガス通路８２に向かい、ガス通路８２を通って炎口８４へと流れやすくなる。その結果、図７（ｃ）に示されるように、上下方向に幅広に形成された炎口８４の下側よりも上側に過剰に混合気が流れることがある。そして、炎口８４の上側と下側とで混合気の分布に差が生じる。
【００３５】
次いで、図７（ｄ）に示されるように、点火手段（図示せず）により炎口８４に点火することにより炎口８４から火炎が形成されるが、炎口８４の上側に混合気が過剰に供給されているため、火炎がリフトして、安定しなくなる。
【００３６】
これに対し、本実施形態に係るコンロバーナ１０では、図３（ａ）に示されるように、燃料供給部（図示せず）からの燃料ガスと一次空気とからなる混合気が混合管１６に供給される。次いで、混合管１６を通ってその下流側に延設形成された混合室１８に混合気が運ばれる。このとき、図３（ｂ）に示されるように、バーナヘッド１４の凸部２６に混合気が確実に衝突し、混合気の動圧が緩衝される。凸部２６と衝突した混合気は、混合室１８に運ばれてきたときの気流の勢いが抑えられた後、この凸部２６の周囲に形成されている空間２８全体に分布される。
【００３７】
次いで、図３（ｃ）に示されるように、混合気は、バーナヘッド１４の区画壁２０により形成されたガス通路２２を通って炎口２４まで運ばれる。このとき、混合気は、空間２８全体に分布されるので、上下方向に幅広になっている炎口２４の上側に過剰に流れることはなく、炎口２４の上下方向に均一に分布されて噴出される。
【００３８】
次いで、点火手段（図示せず）により炎口２４に点火することにより、図３（ｄ）に示されるように、コンロバーナ１０の外周に形成された炎口２４に火炎が形成される。このとき、炎口２４の上下方向に均一に分布された混合気が炎口２４より噴出されるため、この火炎は、炎口２４全体から均一に噴出される。これにより、炎口２４から噴出される火炎のリフトが抑制され、火炎が安定化される。
【００３９】
以上のように構成されたコンロバーナ１０によれば、バーナ本体上面１２ａとバーナヘッド下面１４ａとの間に設けられる炎口２４を上下方向に幅広にすることにより上下方向に炎口面積が大きくなる。これにより、バーナヘッド径を大きくすることなく炎口面積を大きくすることができる。
【００４０】
そして、炎口面積が大きくなることにより、炎口２４からの混合気の噴出量が多くなるので、空燃比を変えることなく、コンロバーナ１０への燃料ガスの供給量を増やすことができる。これにより、炎口２４で形成される火炎の火力が強くなるため、コンロバーナ１０の加熱能力を高くすることができる。
【００４１】
ここで、炎口２４を上下方向に幅広にして炎口面積を大きくしただけだと、供給されてきた混合気が、幅広となった炎口２４の下側よりも上側に過剰に流れることになる。そうなると、炎口２４の上側と下側とで混合気の分布が均一にならないため、炎口２４から噴出される火炎がリフトして、火炎の安定化を図ることができない。
【００４２】
そのため、これを防ぐ目的で、バーナヘッド下面１４ａの中心部に、このバーナ本体１２に供給される混合気の動圧を緩衝する略柱状の凸部２６を立設させている。そして、バーナ本体１２に供給される混合気が炎口２４から噴出される前に略柱状の凸部２６と確実に衝突して、この混合気の動圧が緩衝される。これにより、バーナ本体１２に供給される混合気が、上下方向に幅広に設けられた炎口２４の上側に特に流れやすくなることはなくなり、炎口２４の上側と下側とで混合気の分布を均一にすることができる。その結果、炎口２４から噴出される火炎のリフトを防止して、火炎の安定化を図ることができる。
【００４３】
そして、これら複数の炎口２４、２４・・・は、バーナヘッド下面１４ａに外周方向に向けて放射状に設けられた複数の区画壁２０、２０・・・により形成されており、区画壁２０の高さが区画壁２０と区画壁２０との間の距離より大きいものとしているので、バーナヘッド径を大きくせずに炎口面積を大きくして加熱能力を高くするとともに、炎口２４の上下方向における混合気の噴出分布を均一にして火炎の安定化を図ることができる。加えて、鋳造、ダイカスト等の射出成形によるバーナヘッドの成形加工により、上下方向に幅広な炎口２４を容易に形成することができる。
【００４４】
そして、区画壁２０と区画壁２０との間の距離に対して区画壁２０の高さを、２倍から３倍の範囲の大きさとなるようにすれば、確実に、バーナヘッド径を大きくせずに炎口面積を大きくして加熱能力を高くするとともに炎口２４の上下方向における混合気の噴出分布を均一にして火炎の安定化を図ることができる。
【００４５】
本実施形態に係るコンロバーナ１０は、バーナヘッド１４の直径を大きくすることなく炎口２４の面積を大きくして加熱能力を高くしたものであるが、バーナヘッド１４の直径を小さくして通常のコンロバーナより小さいコンロバーナとしたときに、この通常のコンロバーナと同等の加熱能力を有するものとすることもできる。すなわち、加熱能力を維持したままで、コンロバーナおよびテーブルコンロなどのガス燃焼調理器を小さくすることも可能である。
【００４６】
なお、本発明に係るコンロバーナは、テーブルコンロなどのガス燃焼調理器に組み込まれるものなので、混合気が供給される混合管は、通常、直管ではなく、折れ曲がった形であることが多い。
【００４７】
例えば図４に示されるコンロバーナ３０のように、バーナ本体３２の混合管３６が左方に折れ曲がっている場合、左方から供給される混合気は、混合室３８を通った後、右側の炎口４０に流れやすくなる。そのため、右側の炎口４０と左側の炎口４０’とで、混合気の噴出量に違いが生じて、炎口４０、４０・・・、４０’、４０’・・・から噴出される火炎の大きさのバランスが悪くなることがある。
【００４８】
このとき、例えば図４に示されるように、バーナヘッド３４に立設される混合気の動圧を緩衝する略円柱状の凸部４２の先端に、左側の炎口４０’への混合気の供給を促進するため、左上方向に傾斜する傾斜面４２ａが形成されていると、右側の炎口４０に特に流れやすくなることはなく、左側の炎口４０’への供給も促進され、コンロバーナ３０の周方向における混合気の噴出分布を均一にすることができる。そして、炎口４０、４０・・・、４０’、４０’・・・から噴出される火炎の大きさを、外周全体にバランス良くすることができる。
【００４９】
以上、本発明の実施の形態について詳細に説明したが、本発明は上記実施の形態に何ら限定されるものではなく、本発明の要旨を逸脱しない範囲で種々の改変が可能である。
【００５０】
例えば、上記実施形態において、バーナヘッド下面１４ａに区画壁２０を設けたものについて示しているが、バーナ本体上面１２ａに区画壁を設けるものであっても同様の作用効果を発揮することは勿論である。また、上下方向に幅広の複数の炎口を形成する例としては、これらのものに限られるものではない。炎口の形状も、矩形に限られず、楕円や台形等、上下方向に幅広となる形であれば良い。
【００５１】
略柱状の凸部２６は、略円柱状のものに限定されるものではない。混合管１６は、直管のもの、屈曲部を有するもののいずれであっても良い。また、本発明に係るコンロバーナは、通常のバーナのみでなく、例えば、環状に形成された複数の炎口とその外側に環状に形成された他の複数の炎口とを有し、この複数の炎口と他の複数の炎口とが異なる火力を有するバーナ（例えば他の複数の炎口（外側の複数の炎口）の火力を複数の炎口（内側の複数の炎口）の火力より小さくしたものなど）のようないわゆる親子バーナにも適用可能である。
【産業上の利用可能性】
【００５２】
本発明に係るコンロバーナは、テーブルコンロなどのガス燃焼調理器のコンロバーナに使用することができる。
【図面の簡単な説明】
【００５３】
【図１】本発明に係るコンロバーナの一実施形態を表す断面図（ａ）および正面図とその一部拡大図（ｂ）である。
【図２】図１に示されるコンロバーナのバーナヘッドを表す底面図である。
【図３】図１に示されるコンロバーナに混合気を供給したときの混合気の流れを時系列で示す図である。
【図４】他の実施形態に係るコンロバーナの断面図である。
【図５】従来のコンロバーナを表す断面図である。
【図６】炎口の上下方向の幅を従来よりも広くしたコンロバーナの一例を表す断面図（ａ）および正面図とその一部拡大図（ｂ）である。
【図７】図６に示されるコンロバーナに混合気を供給したときの混合気の流れを時系列で表す図である。
【符号の説明】
【００５４】
１０  コンロバーナ
１２  バーナ本体
１２ａ  バーナ本体上面
１４  バーナヘッド
１４ａ  バーナヘッド下面
２０  区画壁
２４  炎口
２６  略柱状の凸部
Ｌ１  区画壁と区画壁との間の距離
Ｈ１  区画壁の高さ
【図１】
0004762730.tif 000002
【図２】
0004762730.tif 000003
【図３】
0004762730.tif 000004
【図４】
0004762730.tif 000005
【図５】
0004762730.tif 000006
【図６】
0004762730.tif 000007
【図７】
0004762730.tif 000008